(57)【要約】【課題】食器を収納する食器篭の利便性の向上を図る。【解決手段】本発明の食器篭は、複数の支柱が格子状に連結されて構成され、外形が六面体に形成された食器篭であって、食器篭の内部に位置して高さ方向に沿って延び、当該食器篭の内部に高さ方向に積み重ねられて収納される食器の周囲を囲うよう複数箇所に配置された複数の食器支持体を備え、食器篭の前面側に位置する面を形成する前面部に、当該食器篭の前面側に位置する食器支持体が連結されている。そして、前面部は、食器篭の上面側に位置する面を形成する上面部の所定箇所に回転可能に連結しており、食器篭の前面を塞いだ状態と、上面部の上方に位置するまで当該上面部との連結箇所を支点として回転して食器篭の前面が開口した状態と、に変化するよう構成されている。【選択図】図１
2020022618.tif 000002
【特許請求の範囲】
【請求項１】
複数の支柱が格子状に連結されて構成され、外形が六面体に形成された食器篭であって、
前記食器篭の内部に位置して高さ方向に沿って延び、当該食器篭の内部に高さ方向に積み重ねられて収納される食器の周囲を囲うよう複数箇所に配置された複数の食器支持体を備え、
前記食器篭の前面側に位置する面を形成する前面部に、当該食器篭の前面側に位置する前記食器支持体が連結されており、
前記前面部は、前記食器篭の上面側に位置する面を形成する上面部の所定箇所に回転可能に連結しており、前記食器篭の前面を塞いだ状態と、前記上面部の上方に位置するまで当該上面部との連結箇所を支点として回転して前記食器篭の前面が開口した状態と、に変化するよう構成されている、
食器篭。
【請求項２】
請求項１に記載の食器篭であって、
前記前面部は、前記上面部の前面側に位置する一部の部位と一体的に構成されており、当該前面部と一体的に構成された前記上面部の一部の部位は、当該上面部の前面側から背面側に向かって所定の距離だけ離れて位置する所定箇所に回転可能に連結されている、
食器篭。
【請求項３】
請求項２に記載の食器篭であって、
前記上面部は、前面側と背面側とのほぼ中間位置で前面側部位と背面側部位とに分割されて構成され、当該上面部の前記前面側部位が前記前面部と一体的に構成されており、
前記前面部と一体的に構成された前記前面側部位は、前記上面部の前記背面側部位に回転可能に連結されている、
食器篭。
【請求項４】
請求項１乃至３のいずれかに記載の食器篭であって、
前記食器篭の下面に位置する面を形成する下面部に、食器を載置する載置板を設け、
前記載置板は、前記下面部の前後方向に対して垂直方向である幅方向の中央部分に配置され、最前面箇所から背面側に向かって前後方向の中央箇所を超えた所定の箇所まで延びて形成されている、
食器篭。
【請求項５】
請求項４に記載の食器篭であって、
前記載置板は、複数の貫通孔が形成されている、
食器篭。
【請求項６】
請求項１乃至５のいずれかに記載の食器篭であって、
前記食器篭の前面を塞いだ状態における前記前面部の下端に、前記食器篭の内部側で下方に向かって突出する突起を設け、
前記前面部が開かないように、前記食器篭の内部側で下方に向かって突出した状態の前記突起を係止する係止片を、前記食器篭の下面に位置する面を形成する下面部の最前面箇所に設けた、
食器篭。
【発明の詳細な説明】
【技術分野】
【０００１】
本発明は、複数の食器を収納した状態で、運搬可能であると共に、食器洗浄機に投入して洗浄することが可能な食器篭に関する。
【背景技術】
【０００２】
学校や病院などにおいて提供される給食といった食事の際には、大量の食器が用いられる。このような大量の食器は、食事が提供される教室などの各箇所に運搬されるが、運搬の際には食器篭が用いられる。食器篭は、例えば、特許文献１，２に示すように、格子状の枠体で構成され、複数の食器を収納可能である。そして、食器篭は、食器を収納した状態で運搬でき、そのまま食器洗浄機に投入して収納された食器を洗浄することもできるよう構成されている。
【０００３】
具体的に、特許文献１，２に開示の食器篭は、複数の食器を高さ方向に積み重ねた状態で収納可能であり、食器の周囲を、高さ方向に延びる複数の支持体で支持している。そして、特許文献１の食器篭では、当該食器篭の前面側に位置する支持体が横方向つまり幅方向に開くよう構成されており、前面側が開いた状態で食器を収納することができる。また、特許文献２の食器篭では、当該食器篭の上面の留め具が取り外し可能なよう構成されており、かかる留め具を取り外した状態で上面側から食器を収納することができる。
【先行技術文献】
【特許文献】
【０００４】
【特許文献１】特開２０１１−９２４４８号公報
【特許文献２】特開２０１５−３７５０４号公報
【発明の概要】
【発明が解決しようとする課題】
【０００５】
しかしながら、上述した特許文献１の食器篭は、前面側の支持体が幅方向に開くため、当該食器篭の幅方向に支持体を開くスペースが必要となる。すると、食器篭が配膳台などに配置されている場合には、食器篭の載置スペースよりも広いスペースが必要となるため、利用場所が制限されてしまうおそれがあり、利便性が低下する、という問題が生じる。また、上述した特許文献２の食器篭は、上面の留め具を取り外して上面側から食器を収納しているため、収納方法が容易ではない。その結果、利便性が低下する、という問題が生じる。
【０００６】
このため、本発明の目的は、食器を収納する食器篭の利便性の向上を図ることにある。
【課題を解決するための手段】
【０００７】
本発明の一形態である食器篭は、
複数の支柱が格子状に連結されて構成され、外形が六面体に形成された食器篭であって、
前記食器篭の内部に位置して高さ方向に沿って延び、当該食器篭の内部に高さ方向に積み重ねられて収納される食器の周囲を囲うよう複数箇所に配置された複数の食器支持体を備え、
前記食器篭の前面側に位置する面を形成する前面部に、当該食器篭の前面側に位置する前記食器支持体が連結されており、
前記前面部は、前記食器篭の上面側に位置する面を形成する上面部の所定箇所に回転可能に連結しており、前記食器篭の前面を塞いだ状態と、前記上面部の上方に位置するまで当該上面部との連結箇所を支点として回転して前記食器篭の前面が開口した状態と、に変化するよう構成されている、
という構成をとる。
【０００８】
また、上記食器篭では、
前記前面部は、前記上面部の前面側に位置する一部の部位と一体的に構成されており、当該前面部と一体的に構成された前記上面部の一部の部位は、当該上面部の前面側から背面側に向かって所定の距離だけ離れて位置する所定箇所に回転可能に連結されている、
という構成をとる。
【０００９】
また、上記食器篭では、
前記上面部は、前面側と背面側とのほぼ中間位置で前面側部位と背面側部位とに分割されて構成され、当該上面部の前記前面側部位が前記前面部と一体的に構成されており、
前記前面部と一体的に構成された前記前面側部位は、前記上面部の前記背面側部位に回転可能に連結されている、
という構成をとる。
【００１０】
また、上記食器篭では、
前記食器篭の下面に位置する面を形成する下面部に、食器を載置する載置板を設け、
前記載置板は、前記下面部の前後方向に対して垂直方向である幅方向の中央部分に配置され、最前面箇所から背面側に向かって前後方向の中央箇所を超えた所定の箇所まで延びて形成されている、
という構成をとる。
【００１１】
また、上記食器篭では、
前記載置板は、複数の貫通孔が形成されている、
という構成をとる。
【００１２】
また、上記食器篭では、
前記食器篭の前面を塞いだ状態における前記前面部の下端に、前記食器篭の内部側で下方に向かって突出する突起を設け、
前記前面部が開かないように、前記食器篭の内部側で下方に向かって突出した状態の前記突起を係止する係止片を、前記食器篭の下面に位置する面を形成する下面部の最前面箇所に設けた、
という構成をとる。
【発明の効果】
【００１３】
上記構成の食器篭によると、前面部を高さ方向に回転させて開口させることができる。その結果、食器篭自体の配置スペースの省スペース化を図ることができ、開口した前面から容易に食器を収納することができ、利便性の向上を図ることができる。
【図面の簡単な説明】
【００１４】
【図１】本発明の食器篭の構成を示す図であり、前面部を閉じたときの状態を示す。
【図２】図１に示す食器篭を上方から見た図である。
【図３】本発明の食器篭の構成を示す図であり、前面部を開いたときの状態を示す。
【図４】図３に示す前面部を開いた状態の食器篭に食器を収納したときの様子を示す図である。
【図５】図４に示すように食器を収納した食器篭の前面部を閉じたときの様子を示す図である。
【発明を実施するための形態】
【００１５】
＜実施形態１＞
本発明の第１の実施形態を、図１乃至図５を参照して説明する。図１乃至図３は、食器篭の構成を説明するための図であり、図４乃至図５は、食器篭の使用方法を説明するための図である。
【００１６】
図１に示すように、本実施形態における食器篭は、複数の支柱が格子状に連結されて構成されており、外形が六面体に形成されている。具体的に、食器篭は、六面全てが略正方形に形成された略立方体に形成されており、前面部と、背面部と、上面部と、下面部と、２つの側面部と、を備えている。但し、食器篭を形成する各面部は、必ずしも正方形であることに限定されず、長方形であってもよく、その他の形状であってもよい。なお、本実施形態では、図１において上下方向を高さ方向とし、前面部と背面部との間の方向を前後方向とし、当該前後方向に対する垂直方向である２つの側面部間の方向を幅方向とする。
【００１７】
ここで、図１は、前面部が閉じたときの食器篭の状態を示しており、かかる前面部が開くと図３の状態となる。また、図２は、図１に示す食器篭を上方から見た図であり、食器篭の上面に位置する上面部を示している。以下、各構成について詳述する。
【００１８】
まず、図３を参照して、下面部ついて説明する。図３に示すように、食器篭の下面を形成する下面部は、略正方形に形成された支柱４０にて外形が構成されている。そして、下面部には、内部に前後方向に沿って延びる２本の支柱４１，４２が設けられており、また、内部に前後方向に対して垂直方向である幅方向に沿って延びる１本の支柱４３が設けられている。そして、前後方向に沿って延びる２本の支柱４２には、高さ方向に板面を向けて配置された載置板４４が設けられている。
【００１９】
上記載置板４４は、下面部の幅方向の中央部分に配置された所定の幅を有する板状部材である。この載置板４４の板面上には、後述するように食器が載置される。そして、載置板４４は、下面部において、前後方向に沿って所定の長さに形成されている。具体的に、載置板４４は、最前面箇所から背面側に向かって前後方向の中央箇所超えた所定箇所まで延びて形成されているが、最背面箇所までは延びていない。但し、載置板４４は、いかなる長さに形成されていてもよい。また載置板４４には、当該板面を貫通する複数の貫通孔が形成されている。
【００２０】
また、上記幅方向に沿って延びる１本の支柱４３は、下面部の前後方向のほぼ中央に配置されており、食器篭内部の両端付近に食器篭の高さ方向である上方に延びる２本の支柱からなる食器支持体４５，４６が連結している。なお、これら２本の食器支持体４５，４６は、上端で上面部に連結している。具体的に、２本の食器支持体４５，４６の配置間隔は、後述するように載置板４４上に載置された外形が円形の食器の周囲を囲って位置するよう設定されている。
【００２１】
次に、図３を参照して、２つの側面部ついて説明する。側面部は、略正方形に形成された支柱５０，６０にて外形が構成されている。そして、側面部は、上述した下面部の幅方向の両端部にそれぞれ位置して、当該下面部に対して垂直に立設した側面を形成している。側面部の内部には、食器篭自体の強度を維持したり、他の支柱と連結されるための補助支柱が、外形を構成する支柱５０，６０に連結されて設けられている。
【００２２】
次に、図１乃至図３を参照して、背面部について説明する。背面部は、略正方形に形成された支柱２０にて外形が構成されている。そして、背面部は、上述した下面部の前後方向の最背面側に位置して、当該下面部に対して垂直に立設した背面を形成している。背面部の内部には、食器篭自体の強度を維持したり、他の支柱と連結されるための補助支柱が、外形を構成する支柱２０に連結されて設けられている。
【００２３】
また、背面部には、当該背面部から前後方向の前面側つまり食器篭の内部側に位置し、食器篭の高さ方向に延びる２本の支柱からなる食器支持体２１，２２が連結している。具体的に、背面部には、上端付近と下端付近にそれぞれ食器篭の内部側に位置して幅方向に延びる補助支柱２３，２４が連結されて設けられており、かかる補助支柱２３，２４の間を連結するよう２本の食器支持体２１，２２が設けられている。なお、２本の食器支持体２１，２２の配置間隔は、後述するように食器篭の内部に収納された外形が円形の食器の周囲を囲って位置するよう設定されている。
【００２４】
次に、図１乃至図３を参照して、上面部について説明する。上面部は、上述した下面部に対向し、食器篭自体の上面を形成している。上面部は、図２に示すように、全体的には略正方形に形成された支柱にて外形が構成されていが、前後方向のほぼ中間位置で、前面側と背面側とに分割された形状となっている。つまり、上面部は、前面側に略長方形に形成された支柱３１にて外形が構成された前面側部位と、背面側に略長方形に形成された支柱３２にて外形が構成された背面側部位と、が配置されて構成されている。そして、前面側部位は、背面側部位との連結箇所３３で当該背面側部位に対して回転可能に連結されている。さらに前面側部位は、前面部に連結して、当該前面部と一体的に構成されている。なお、かかる構成については後述する。
【００２５】
次に、図１乃至図３を参照して、前面部について説明する。前面部は、略正方形に形成された支柱１０にて外形が構成されている。そして、前面部は、上述した背面部に対向する面を形成し、上述した下面部の前後方向の最前面側に位置して、当該下面部に対して垂直に立設した食器篭自体の前面を形成している。
【００２６】
また、前面部には、当該前面部から前後方向の背面側つまり食器篭の内部側に位置し、食器篭の高さ方向に延びる２本の支柱からなる食器支持体１１，１２が連結している。具体的に、前面部には、上端付近と下端付近にそれぞれ食器篭の内部側に位置して幅方向に延びる補助支柱１３，１４が連結されて設けられており、かかる補助支柱１３，１４の間を連結するよう２本の食器支持体１１，１２が設けられている。なお、２本の食器支持体１１，１２の配置間隔は、後述するように食器篭の内部に収納された外形が円形の食器の周囲を囲って位置する設定されている。
【００２７】
そして、前面部は、上端箇所において、上述した上面部の一部を構成する前面側部位が連結して一体的となっている。つまり、前面部は、その上端が直角に曲折して上面の一部を形成している。そして、前面部と一体的である前面側部位が、上面部の背面側部位と連結箇所３３にて回転可能に連結していることから、前面部自体が上面部に対して回転可能に連結されていることとなる。具体的に、前面部は、上面部の前後方向のほぼ中央箇所で背面側部位と回転可能に連結しており、かかる連結箇所３３を支点として、前面部の下端側が上方に向かって回転可能となる。
【００２８】
ここで、上述した前面部を、上面部の連結箇所３３を支点として、当該上面部の上方に位置するまで回転させたときの様子を図３に示す。このように前面部を上面部の上方に回転させて位置させることで、当該前面部に一体的に連結されている食器篭の内部の前面側に位置していた２本の食器支持体１１，１２も、上面部の上方に位置することとなる。その結果、食器篭の前面を開口させた状態とすることができる。また、前面部の上端側は、上面部の前面側部位が一体的となっているため、かかる前面側部位の箇所も回転させて上面部よりも上方に位置させることができる。これにより、上面部の前面側も開口させることができる。
【００２９】
以上のように、本発明における食器篭は、前面部を上方に回転させて食器篭自体の前面全体と上面の前面側を開口させることができる。このため、食器篭の開口スペースが広く、食器を容易に収納させることができ、利便性が向上する。また、回転させた前面部は上面部の上方に位置するため、食器篭の幅方向にスペースを確保する必要がなく、利用が容易となる。
【００３０】
ここで、図４に、食器篭の前面を開口させて、食器１００を収納させたときの状態を示す。この図に示すように、食器篭の下面部に設けられた載置板４４の板面上に、食器１００を高さ方向に積み重ねて収納していくこととなる。このとき、載置板４４は、下面部の最前面箇所から形成されているため、最下の食器１００を収納する際に最前面箇所から載置でき、収納が容易となる。
【００３１】
また、図５に、食器を収納した後に、前面部の回転状態を戻して、食器篭自体の前面を前面部で塞いたときの状態を示す。このとき、前面部の下端付近には、２つのストッパー７０，８０が装備されている。ストッパー７０，８０には、食器篭の内部側で下方に向かって突出する突起７１，８１が設けられており、当該突起７１，８１は、前面部が閉じられた状態で下方に突出させられる。これにより、突起７１，８１は、下面部の最前面箇所に上方に突出して設けられた係止片４７，４８よりも内部側に位置することとなり、当該突起７１，８１が前面側に移動しないよう係止される。その結果、前面部の回転を係止でき、前面部が開かず、当該前面部で食器篭の前面を塞いだ状態を維持することができる。
【００３２】
上述したように前面部にて食器篭の前面を塞いだ状態とすると、内部に高さ方向に積み重ねられて収納された食器は、その周囲が６本の食器支持体１１，１２，２１，２２，４５，４６（図２参照）で囲まれた状態となる。つまり、食器篭の内部において、食器の周囲のうち前面側は符号１１，１２の食器支持体で、背面側は符号２１，２２の食器支持体で、側面側は符号４５，４６の食器支持体で、囲まれることとなる。これにより、食器が収納された食器篭を上下逆さにして食器洗浄機に投入して食器を洗浄したり保管を行うことができる。このとき、食器を載置する載置板４４に複数の貫通孔が形成されているため、効率よく洗浄や乾燥を行うことができる。
【００３３】
その後、上述したように食器篭に収納された食器を取り出したり、食器を収納させる際には、ストッパー７０に設けられたボタン７２，８２を押すことで、突起７１，８１が上方に移動し、突出状態が解除され、再び前面部を回転させて食器篭の前面を開口させることができる。
【００３４】
なお、上記では、上面部が前後方向のほぼ中間位置で前面側と背面側とに分割され、前面側部位が前面部と一体的に構成されている場合を例示したが、前面側部位はいかなる大きさや形状であってもよい。また、前面部は、必ずしも上面部側に曲折して形成されていなくてもよい。
【００３５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３６】
１０，２０，３１，３２，４０，５０，６０  支柱
１１，１２，２１，２２，４５，４６  食器支持体
４４  載置板
４７，４８  係止片
７０，８０  ストッパー
７１，８１  突起
【図１】
2020022618.tif 000003
【図２】
2020022618.tif 000004
【図３】
2020022618.tif 000005
【図４】
2020022618.tif 000006
【図５】
2020022618.tif 000007